(57)【要約】【課題】実釣時において、ルアーアクションを支障無く行える魚釣用リールを提供することを目的とする。【解決手段】本発明は、リール本体１に設けられたスプール７に、リール本体の側部に設けられた巻取り駆動機構１３のハンドル５の回転操作で釣糸案内部２２を介してスプール７に釣糸を巻回する魚釣用リールにおいて、ハンドル７の回転操作で連動回転する回転軸６に、一方向クラッチ２５を介して釣糸巻取り用の補助操作部材３０を設けると共に、釣竿を保持した手の指で操作可能な位置に補助操作部材の操作部３１を設け、この操作部３１の操作によってスプール７に釣糸を補助的に巻回可能としたことを特徴とする。【選択図】　　図１
2004141059.tif 000002
【特許請求の範囲】
【請求項１】
リール本体に設けられたスプールに、リール本体の側部に設けられた巻取り駆動機構のハンドルの回転操作で釣糸案内部を介してスプールに釣糸を巻回する魚釣用リールにおいて、
前記ハンドルの回転操作で連動回転する回転体に、一方向クラッチを介して釣糸巻取り用の補助操作部材を設けると共に、釣竿を保持した手の指で操作可能な位置に前記補助操作部材の操作部を設け、
前記操作部の操作によって前記スプールに釣糸を補助的に巻回可能としたことを特徴とする魚釣用リール。
【請求項２】
前記補助操作部材の操作部は、リール本体を構成する左右側板間に回動可能に設けられていることを特徴とする請求項１に記載の魚釣用リール。
【請求項３】
前記補助操作部材の操作部は、レバー形状に形成されていることを特徴とする請求項１又は２に記載の魚釣用リール。
【発明の詳細な説明】
【０００１】
【発明の属する技術分野】
本発明は、リール本体の側板間に釣糸が巻回されるスプールを回転自在に支持した魚釣用リールに関し、特に、ルアーフィッシングに適した魚釣用リールに関する。
【０００２】
【従来の技術】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクション（仕掛けの巻取り誘導操作）を、釣場の状況に応じて何回も繰り返し行い、魚のヒッティングを待つことになる。
【０００４】
【特許文献１】
特許第３００９０７４号公報
【特許文献２】
特許第３０２５１７２号公報。
【０００５】
【発明が解決しようとする課題】
ところで、上記した構成の魚釣用リールでルアーフィッシングを行う場合、釣人は、上記したルアーアクション操作を、リールを握持保持した手によるロッド操作と、反対側の手による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行えない、という不具合がある。
【０００６】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００７】
本発明は、上記したような問題に基づいてなされたものであり、実釣時において、ルアーアクション操作を支障無く行える魚釣用リールを提供することを目的とする。
【０００８】
【課題を解決するための手段】
上記した目的を達成するために、本発明に係る魚釣用リールは、リール本体に設けられたスプールに、リール本体の側部に設けられた巻取り駆動機構のハンドルの回転操作で釣糸案内部を介してスプールに釣糸を巻回するよう構成されており、前記ハンドルの回転操作で連動回転する回転体に、一方向クラッチを介して釣糸巻取り用の補助操作部材を設けると共に、釣竿を保持した手の指で操作可能な位置に前記補助操作部材の操作部を設け、前記操作部の操作によって前記スプールに釣糸を補助的に巻回可能としたことを特徴とする。
【０００９】
上記した構成の魚釣用リールによれば、キャスティング操作を行った後、釣竿を握持保持している側の手の指で補助操作部材の操作部を操作することにより、そのままスプールの巻取り操作が行えるようになる。すなわち、釣竿を操作する腕の伸縮状態や、その腕の手首の状態に何等影響を受けることなく、釣竿を握持保持している側の手の指による操作で、容易かつ微妙な釣糸の巻取り操作が行えるようになる。また、補助操作部材には、一方向クラッチが介在されていることから、ハンドルを巻取り操作した際の駆動力が補助操作部材に伝達されることはなく、ハンドルの巻取り操作時に補助操作部材が駆動されることはない。
【００１０】
【発明の実施の形態】
以下、本発明に係る魚釣用リールの実施形態について、添付図面を参照して具体的に説明する。
図１〜図４は、本発明に係る魚釣用リールの第１の実施形態を示す図であり、図１は平面図及び主要部を拡大して示す図、図２は側板を外してハンドル側から見た側面図、図３は補助操作部材の部分を拡大して示す図、そして、図４は操作状態を示す図である。
【００１１】
本実施形態の魚釣用リールのリール本体１は、フレーム２の左右枠２ａ，２ｂに対し、所定の空間をもって装着される左右側板３ａ，３ｂを備えており、一方の側板側（本実施形態では左側板３ａ側）には、ハンドル５を装着したハンドル軸６が回転可能に支持されている。
【００１２】
左右側板３ａ，３ｂ間には、釣糸が巻回されるスプール７が取り付けられたスプール軸８が回転可能に支持されており、スプール７は、前記ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。
【００１３】
上記したハンドル軸６には、スプール７に対する制動力を調節する公知のドラグ機構を操作するための回転体１５（ドラグ調節体）が設けられており、この回転体１５を回転操作することにより、釣糸繰出時のスプール回転に所望の制動力が付与されるようになっている
上記したリール本体１のスプール７前方における左右側板３ａ，３ｂ間には、巻取り駆動機構１３に歯車伝達機構Ａ１〜Ａ４を介して連動回転し、スプール７に釣糸を平行に巻回するよう左右に往復動するレベルワインド装置２０を構成する駆動軸２１が回転自在に支持されている。この駆動軸２１の外周には、釣糸案内体２２が回り止め係合される螺旋溝２１ａが形成されており、駆動軸２１が回転駆動された際、釣糸案内体２２を左右に往復動し、釣糸をスプール７に均等に巻回するようになっている。
【００１４】
前記ハンドル軸６は、一端部が左枠２ａに対して軸受２３によって回転可能に支持されると共に、ハンドル軸６には、軸受２３に隣接して配設された一方向クラッチ２５を介して補助操作部材３０が装着されている。この補助操作部材３０は、左側板３ａの下面に形成された開口３ｃを介してリール本体の下方に突出するレバー状の操作部３１を備えており、この操作部３１は、リール本体内に設けられた付勢バネ３２により、常時、前方側に向けて回動付勢されている。
【００１５】
前記一方向クラッチ２５は、補助操作部材３０に嵌合される外輪２６と、保持器２７に保持された複数のコロ２８とを備えており、補助操作部材３０の操作部３１が付勢バネ３２の付勢力によって前方に付勢されている状態では、ハンドル軸６が巻取り駆動された際（図３において反時計方向の回転）、コロ２８は外輪２６の自由回転領域に位置して、その回転駆動力は補助操作部材３０に伝達されず、また、補助操作部材３０の操作部３１を付勢バネ３２の付勢力に抗して移動操作（後方に牽引操作）すると、コロ２８は外輪２６の楔領域に位置して、操作部３１の回動を、一方向クラッチ２５を介してハンドル軸６に伝達するようになっている。
【００１６】
上記のように構成された補助操作部材３０を設けたことにより、公知のクラッチ機構Ｋをスプールフリー状態に切換えてキャスティング操作を行った後、ルアーアクションを行うに際して、ロッドＲと共にリール本体の反ハンドル側側板３ｂを握持保持している手の指Ｈ（人差し指、中指、薬指）でレバー状の操作部３１を付勢バネ３２の付勢力に抗して牽引操作することが可能となり、このような牽引操作を行うことで、前記一方向クラッチ２５を介して、その回動力がハンドル軸６に伝達されることから、クラッチ機構がスプールフリー状態から巻取り状態に切換えられると共に、そのまま連続してスプール７の微妙な巻取り操作（巻取り補助操作）が行えるようになる。すなわち、ロッドＲを操作する腕の伸縮状態や、その腕の手首の状態に何等影響を受けることなく、リール本体１を握持保持している手の指による操作で、安定した保持状態を維持しながら微妙な釣糸の巻取り操作が迅速且つ容易に行えるようになる。特に、巻回操作を行う操作部分をレバー形状にしたことで、釣竿を保持した手の指が優しくフィットすることができ、牽引操作が容易に行えるようになる。
【００１７】
また、補助操作部材３０を、一方向クラッチ２５を介在させて、スプール７を駆動する回転軸に設けたため、ハンドル５を巻取り操作してスプール７に釣糸を巻回する時には、補助操作部材３０が連動することはなく、魚釣用リール全体として操作性の向上が図れる。
【００１８】
上記したスプール７を補助的に巻回駆動する補助操作部材については、反ハンドル側の手の指によって操作が可能であれば、リール本体の様々な位置に配設することが可能である。以下、そのように構成した実施形態について説明する。　なお、以下の実施形態では、上記実施形態と同一の構成部材については、同一の参照符号を付し、その説明を省略、又は簡略化する。
【００１９】
図５〜図７は、本発明に係る魚釣用リールの第２の実施形態を示す図であり、図５は平面図及び主要部を拡大して示す図、図６は反ハンドル側から見た図、そして、図７は補助操作部材の構造を拡大して示す図である。
【００２０】
本実施形態では、左側板３ａの後方側に配設されているハンドル軸６に同軸上で一体回転可能な延出部３３を形成し、この延出部３３の先端を右枠２ｂから突出させると共に、その突出端に、上記同様、一方向クラッチ３５を介して、レバー状の操作部３９を具備した補助操作部材３７を支持したものである。延出部３３は、両側枠２ａ，２ｂにおいて軸受３８を介して回転可能に支持されており、補助操作部材３７の操作部３９は、反ハンドル側側板３ｂの下面後方に形成された開口部を介して外部に突出している。そして、この操作部３９は、反ハンドル側側板３ｂを握持保持した状態の手の指（主に中指又は薬指）で回転操作可能な大きさと位置に形成されている。
【００２１】
また、本実施形態における補助操作部材３７の操作部３９は、図７に示すように、補助操作部材３７の本体に対して着脱可能に構成されている。具体的には、操作部３９には、軸方向に延出する溝３９ａによって弾性変形可能な弾性係止部３９ｂが形成されており、操作部３９の基端側を摘むことによって、本体の係止部３７ａから取外し可能に構成されている。また、操作部３９は、リール本体内に設けられた付勢バネ（図示せず）により、常時、前方側に向けて付勢されている。
【００２２】
前記一方向クラッチ３５は、補助操作部材３７に嵌合される外輪４０と、保持器４１に保持された複数のコロ４２とを備えており、前記実施形態と同様、補助操作部材３７の操作部３９が付勢バネの付勢力によって前方に付勢されている状態では、延出部３３がハンドル軸６の巻取り駆動と共に回転駆動されても（図７において時計方向の回転）、その回転駆動力は補助操作部材３７に伝達されず、また、操作部３９を付勢バネの付勢力に抗して移動操作（後方に牽引操作）すると、その回動は、延出部３３を介してハンドル軸６に伝達されるようになっている。
【００２３】
このように、補助操作部材は、ハンドル側側板のみならず、反ハンドル側側板３ｂの適所に設けることが可能であり、このような構成においても、前記実施形態と同様な作用効果が得られる。なお、操作部３９を補助操作部材３７の本体に対して着脱可能に構成したことで、特に、スプール７の補助的巻回操作を必要としない釣法においても、支障なく利用することが可能となる。
【００２４】
図８〜図１２は、本発明に係る魚釣用リールの第３の実施形態を示す図であり、図８は平面図、図９は図８のＡ−Ａ線に沿った断面図、図１０は図８のＢ−Ｂ線に沿った断面図、図１１は補助操作部材の構成を示す平面断面図、そして、図１２は、図１１のＣ−Ｃ線に沿った断面図である。
【００２５】
本実施形態の魚釣用リール１は、右側板３ｂ側にハンドル５を装着したハンドル軸６が回転可能に支持されている。ハンドル軸６には、駆動歯車１０と隣接して歯車５０が設けられており、この歯車５０は、レベルワインド装置２０を構成する駆動軸２１の端部に取り付けられた歯車５２と噛合している。この歯車５２は、フレームの右枠２ｂに一体回転可能に併設支持された歯車５３，５４の内、ハンドル側の歯車５３に噛合している。
【００２６】
また、左右側板３ａ，３ｂ間には、スプール７の上方位置において補助操作部材５５が回転可能となるように配設されている。この補助操作部材５５は、左右の枠２ａ，２ｂ間に回転可能に支持された回転軸５６に囲繞するように設けられており、図に示すように、指で後方側に倒伏操作可能なレバー状の操作部５８を左右枠間に亘って幅広状に備えている。なお、この操作部５８は、一端５９ａが右枠２ｂに取り付けられた付勢バネ５９によって、常時、前方側に回動する方向に付勢されている。そして、回転軸５６は、右枠２ｂからハンドル側に突出しており、その突出端には前記歯車５４と噛合する歯車６０が取り付けられている。
【００２７】
前記補助操作部材５５と回転軸５６との間には、一方向クラッチ６２が介在されている。この一方向クラッチ６２は、補助操作部材５５に嵌合される外輪６３と、保持器６４に保持された複数のコロ６５とを備えており、前記実施形態と同様、補助操作部材５５の操作部５８が付勢バネ５９の付勢力によって前方に付勢されている状態では、ハンドル軸６が回転駆動されても（図９において時計方向の回転）、その回転駆動力は補助操作部材５５に伝達されず、また、操作部５８を付勢バネ５９の付勢力に抗して移動操作（後方に倒伏操作）すると、その回動は、上記した歯車６０，５４，５３，５２，５０を介してハンドル軸６に伝達されるようになっている。
【００２８】
このような構成においても、上記した実施形態と同様な作用効果が得られる。また、補助操作部材５５をリール本体の両側板間に配設したことで、リール本体における突出部を少なくすると共に、側板間のデッドスペースを有効に活用して補助操作部材を配設することができ、さらに、リール本体を包み込むように握持保持した際、操作が行ない易い両側板間に補助操作部材５５を横架したことで、キャスティング後に、安定した状態でスプールの微妙な巻取り操作が行えるようになる。つまり、リール本体を保持する右手又は左手の両方の手の指で容易に巻取り補助操作が行なえるようになる。
【００２９】
図１３〜図１５は、本発明に係る魚釣用リールの第４の実施形態を示す図であり、図１３は平面図及び主要部を拡大して示す図、図１４は反ハンドル側から見た部分断面図、そして、図１５は補助操作部材の構造を拡大して示す図である。
【００３０】
本実施形態の魚釣用リールは、スプール７の前方に配設されたレベルワインド装置２０を構成する駆動軸２１の右枠２ｂから突出する部分に、抜け止め止め輪７０を介して歯車７１が装着されている。この歯車７１には、右枠２ｂに回転可能に支持された歯車７３が噛合しており、この歯車７３には、一方向クラッチ７５を介在して、補助操作部材８０が回転可能となるように配設されている。
【００３１】
前記補助操作部材８０は、右側板３ｂの下面に形成された開口３ｄを介してリール本体の下方に突出するレバー状の操作部８１を備えており、この操作部８１は、リール本体内に設けられた付勢バネ８２により、常時、前方側に向けて回動付勢されている。前記一方向クラッチ７５は、補助操作部材８０に嵌合される外輪７６と、保持器７７に保持された複数のコロ７８とを備えており、補助操作部材８０の操作部８１が付勢バネ８２の付勢力によって前方に回動付勢されている状態では、ハンドル軸６が巻取り駆動されても、その回転駆動力は補助操作部材８０に伝達されず、また、補助操作部材８０の操作部８１を付勢バネ８２の付勢力に抗して移動操作（後方に牽引操作）すると、操作部８１の回動を、前記歯車７３，７１、及び上述した歯車伝達機構Ａ４〜Ａ１（図２参照）を介してハンドル軸６に伝達するようになっている。
【００３２】
このような構成においても、上述した実施形態と同様な作用効果が得られる。なお、本実施形態においても、操作部８１は、補助操作部材８０の本体に対して螺合結合されて着脱可能に構成されており、スプール７の補助的巻回操作を必要としない釣法においても、支障なく利用することが可能となっている。
【００３３】
図１６〜図１８は、本発明に係る魚釣用リールの第５の実施形態を示す図であり、図１６は平面図及び主要部を拡大して示す図、図１７は反ハンドル側から見た部分断面図、そして、図１８は補助操作部材の構造を拡大して示す図である。
【００３４】
本実施形態の魚釣用リールは、駆動歯車１０に噛合するピニオン１２の軸上に、一方向クラッチ８５を介して補助操作部材９０が装着されている。この補助操作部材９０は、左側板３ａの上面に形成された開口３ｅを介してリール本体の上方に突出するレバー状の操作部９１を備えており、この操作部９１は、一端が左側板３ａに取り付けられた付勢バネ９２により、常時、前方側に向けて回動付勢されている。
【００３５】
前記一方向クラッチ８５は、補助操作部材９０に嵌合される外輪８６と、保持器８７に保持された複数のコロ８８とを備えており、補助操作部材９０の操作部９１が付勢バネ９２の付勢力によって前方に付勢されている状態では、ハンドル軸６が巻取り駆動されても、その回転駆動力は補助操作部材９０に伝達されず、また、補助操作部材９０の操作部９１を付勢バネ９２の付勢力に抗して移動操作（後方に牽引操作）すると、操作部９１の回動を、そのままスプール軸８に伝達するようになっている。
このような構成においても、上述した実施形態と同様な作用効果が得られる。
【００３６】
以上、本発明の実施形態について説明したが、上述した一方向クラッチを介在して配設される補助操作部材は、ハンドルを巻取り駆動した際に、回転駆動される各所の回転軸（歯車のような回転体を含む）上に設けることが可能であり、その操作部は、反ハンドル側の手の指の操作で操作可能な位置に設けられていればリール本体の適所に設けることが可能である。また、補助操作部材や操作部の形状及びその操作方法については、上記したレバー形状で牽引操作する以外にも、例えば、外周凹凸部を有するダイヤル式にして回動操作したり、或いは円形状の操作部外周にゴムやコルク等を設けて構成する等、適宜変形することが可能である。
【００３７】
【発明の効果】
以上説明したように、本発明の魚釣用リールによれば、釣竿を保持した手の指で補助操作部材を移動操作することで、リールを安定して保持した状態を維持しながら、ルアーアクション操作を迅速かつ容易に行えるようになる。
【図面の簡単な説明】
【図１】本発明に係る魚釣用リールの第１の実施形態を示す平面図及び主要部を拡大して示す図。
【図２】図１に示す魚釣用リールの側板を外してハンドル側から見た側面図。
【図３】補助操作部材の部分を拡大して示す図。
【図４】図１に示す魚釣用リールの操作状態を示す図。
【図５】本発明に係る魚釣用リールの第２の実施形態を示す平面図及び主要部を拡大して示す図。
【図６】図５に示す魚釣用リールを反ハンドル側から見た図。
【図７】補助操作部材の構造を拡大して示す図。
【図８】本発明に係る魚釣用リールの第３の実施形態を示す平面図。
【図９】図８のＡ−Ａ線に沿った断面図。
【図１０】図８のＢ−Ｂ線に沿った断面図。
【図１１】補助操作部材の構成を示す平面断面図。
【図１２】図１１のＣ−Ｃ線に沿った断面図。
【図１３】本発明に係る魚釣用リールの第４の実施形態を示す平面図及び主要部を拡大して示す図。
【図１４】図１３に示す魚釣用リールを反ハンドル側から見た部分断面図。
【図１５】補助操作部材の構造を拡大して示す図。
【図１６】本発明に係る魚釣用リールの第５の実施形態を示す平面図及び主要部を拡大して示す図。
【図１７】図１６に示す魚釣用リールを反ハンドル側から見た部分断面図。
【図１８】補助操作部材の構造を拡大して示す図。
【符号の説明】
１　リール本体
３ａ，３ｂ　側板
５　ハンドル
７　スプール
１３　巻取り駆動機構
２２　釣糸案内部
２５，３５，６２，７５，８５　一方向クラッチ
３０，３７，５５，８０，９０　補助操作部材
３１，３９，５８，８１，９１　操作部
【図１】
2004141059.tif 000003
【図２】
2004141059.tif 000004
【図３】
2004141059.tif 000005
【図４】
2004141059.tif 000006
【図５】
2004141059.tif 000007
【図６】
2004141059.tif 000008
【図７】
2004141059.tif 000009
【図８】
2004141059.tif 000010
【図９】
2004141059.tif 000011
【図１０】
2004141059.tif 000012
【図１１】
2004141059.tif 000013
【図１２】
2004141059.tif 000014
【図１３】
2004141059.tif 000015
【図１４】
2004141059.tif 000016
【図１５】
2004141059.tif 000017
【図１６】
2004141059.tif 000018
【図１７】
2004141059.tif 000019
【図１８】
2004141059.tif 000020